(57)【要約】      （修正有）【課題】比較的小径の円筒状包装容器においても使用可能なＲＦＩＤラベルおよびそれを貼付した円筒状包装容器を提供する。【解決手段】円筒状の胴部を備える円筒状包装容器の胴部外周面の周方向に貼り付けられる略矩形状のＲＦＩＤラベル１は、周方向の長さは、円筒状包装容器の胴部外周面の１周長の１／２以下であり、裏面に円筒状包装容器に貼り付けるための粘着層を有する支持フィルム４と、支持フィルム４の表面を覆うように貼り付けられる表面基材２と、を備え、ＩＣチップ３１およびそのＩＣチップ３１に接続されたアンテナ３２を含むＲＦＩＤインレット３が、支持フィルム４と表面基材２とに挟まれて保持され、ＲＦＩＤインレット３のＩＣチップ３１およびリング状に配置されたアンテナ３２は、支持フィルム４上の周縁部に配置され、ＩＣチップ３１は、円筒状包装容器に貼り付けられる略矩形状のＲＦＩＤインレット３の湾曲状態となる辺の中央部に位置していることを特徴とする。【選択図】図２
0003152180.tif 000002
【実用新案登録請求の範囲】
【請求項１】
円筒状の胴部を備える円筒状包装容器の胴部外周面の周方向に貼り付けられる略矩形状のＲＦＩＤラベルであって、
前記ＲＦＩＤラベルは、
その周方向の長さは、前記円筒状包装容器の胴部外周面の１周長の１／２以下であり、
裏面に前記円筒状包装容器に貼り付けるための粘着層を有する支持フィルムと、その支持フィルムの表面を覆うように貼り付けられる表面基材と、を備え、
ＩＣチップおよびそのＩＣチップに接続されたアンテナを含むＲＦＩＤインレットが、前記支持フィルムと前記表面基材とに挟まれて保持され、
前記ＲＦＩＤインレットのＩＣチップおよびリング状に配置されたアンテナは、前記支持フィルム上の周縁部に配置され、
前記ＩＣチップは、前記円筒状包装容器に貼り付けられる略矩形状の前記ＲＦＩＤインレットの湾曲状態となる辺の中央部に位置していることを特徴とするＲＦＩＤラベル。
【請求項２】
前記周方向の長さは、１０ｍｍから２０ｍｍの間とされる請求項１に記載のＲＦＩＤラベル。
【請求項３】
前記ＲＦＩＤインレットは、前記ＩＣチップおよび前記アンテナを固着して支持するフィルム状の支持体を含んで構成される請求項１または２に記載のＲＦＩＤラベル。
【請求項４】
前記支持体には膜厚５０μｍのＰＥＴ樹脂フィルムを用いる請求項３に記載のＲＦＩＤラベル。
【請求項５】
前記ＲＦＩＤインレットの使用周波数は１３．５６ＭＨｚである請求項１ないし４のいずれか１項に記載のＲＦＩＤラベル。
【請求項６】
前記支持フィルムには膜厚２５μｍのＰＥＴ樹脂フィルムを用い、
前記表面基材には膜厚５０μｍの発泡ＰＥＴ樹脂フィルムを用いる請求項１ないし５のいずれか１項に記載のＲＦＩＤラベル。
【請求項７】
前記粘着層は、強粘着性のアクリル系粘着剤により構成される請求項１ないし６のいずれか１項に記載のＲＦＩＤラベル。
【請求項８】
前記ＩＣチップおよびリング状に配置された前記アンテナよりも内側の前記表面基材の表面に、任意の情報を書き込み可能なラベル書き込み部を有する請求項１ないし請求項７のいずれか１項に記載のＲＦＩＤラベル。
【請求項９】
前記胴部内に医薬品を収容し、この胴部の外周面に上記請求項１ないし８のいずれか１項に記載のＲＦＩＤラベルが貼付された円筒状包装容器。
【考案の詳細な説明】
【技術分野】
【０００１】
本考案は、ＲＦＩＤラベルおよびそれを貼付した円筒状包装容器に関する。
【背景技術】
【０００２】
従来、ＲＦＩＤ（Radio  Frequency  IDentification）の技術を利用した商品管理等に使用されるＲＦＩＤラベルがある。ＲＦＩＤラベルは、その表面にバーコード等の各種情報の印字が可能となっており、また、アンテナとＩＣチップとが埋設されて各種情報の書き込みまたは読み出しが可能となっている（特許文献１参照）。
【０００３】
ＲＦＩＤラベルは、例えば医療用の薬品が収容された包装容器においても、その内容物を識別するために貼付されている。
【先行技術文献】
【特許文献】
【０００４】
【特許文献１】特開２００７−２９０２３０号公報
【考案の概要】
【考案が解決しようとする課題】
【０００５】
特許文献１等の従来技術のＲＦＩＤラベルを、円筒状容器に貼り付ける場合、円筒状容器に沿ってＲＦＩＤラベルが湾曲する。アンテナは曲げると利得が落ちるという特性がある。特に、医薬品用の容器は、アンプルのように比較的小径のものが多く、大型のＲＦＩＤラベルを使用できないという問題がある。
【０００６】
また、ＩＣチップは、ラベル材よりも厚みがあるので、例えばＩＣチップをＲＦＩＤラベルの隅に配置したときなど、ラベルのこしが強くなり、ラベルがＩＣチップを配置した周辺において円筒状容器から浮き上がるといった問題も生ずる。この場合、箱詰するときに他の容器や箱の壁面に浮き上がったＲＦＩＤラベルが貼り付いて、容器を取り出し難くしてしまう。また、医療機関によっては、処方箋に基づく薬品の払出を自動化するために薬品払出装置を導入している。この場合、薬品払出装置内で、浮き上がったＲＦＩＤラベルが他の容器に貼り付いてしまうと、薬品を正常に払い出せなくなるという問題も生ずる。
【０００７】
上記問題を背景とし、本考案は、比較的小径の円筒状包装容器においても使用可能なＲＦＩＤラベルおよびそれを貼付した円筒状包装容器を提供することを目的とする。
【課題を解決するための手段及び考案の効果】
【０００８】
上記課題を解決するために、本考案のＲＦＩＤラベルは、円筒状の胴部を備える円筒状包装容器の胴部外周面の周方向に貼り付けられる略矩形状のＲＦＩＤラベルであって、ＲＦＩＤラベルは、その周方向の長さは、円筒状包装容器の胴部外周面の１周長の１／２以下であり、裏面に円筒状包装容器に貼り付けるための粘着層を有する支持フィルムと、その支持フィルムの表面を覆うように貼り付けられる表面基材と、を備え、ＩＣチップおよびそのＩＣチップに接続されたアンテナを含むＲＦＩＤインレットが、支持フィルムと表面基材とに挟まれて保持され、ＲＦＩＤインレットのＩＣチップおよびリング状に配置されたアンテナは、支持フィルム上の周縁部に配置され、ＩＣチップは、円筒状包装容器に貼り付けられる略矩形状のＲＦＩＤインレットの湾曲状態となる辺の中央部に位置していることを特徴とする。
【０００９】
上記構成によって、ＩＣチップはＲＦＩＤラベルの隅に配置されず、ＲＦＩＤラベルがＩＣチップを配置した周辺において円筒状容器から浮き上がるといった問題は発生しないので、上述のような他の容器や箱の壁面に浮き上がったＲＦＩＤラベルが貼り付くということはなく、容器を取り出し難くすることはない。また、ＲＦＩＤラベルの湾曲の度合いも小さいので、アンテナの利得の低下を最小限とすることができる。
【００１０】
また、本考案のＲＦＩＤラベルにおける周方向の長さは、１０ｍｍから２０ｍｍの間とされる。
【００１１】
上記構成によって、比較的小径の円筒状容器にも貼り付けることが可能となる。また、現状では、バーコードを印字するために必要な最小寸法は、１２ｍｍ×２３ｍｍといわれているので、ＲＦＩＤラベルにバーコードの印字も可能となる。
【００１２】
また、本考案のＲＦＩＤラベルにおけるＲＦＩＤインレットは、ＩＣチップおよびアンテナを固着して支持するフィルム状の支持体を含んで構成される。
【００１３】
上記構成によって、ＲＦＩＤインレットがモジュール化され、ＲＦＩＤラベルの製造時に、ＲＦＩＤインレットを支持フィルムと表面基材との間に挟むことがより容易となる。また、外部（ＲＦＩＤラベル表面）から加わる押圧力や衝撃からＩＣチップおよびアンテナを保護することも可能となる。
【００１４】
また、本考案のＲＦＩＤラベルにおける支持体には膜厚５０μｍのＰＥＴ樹脂フィルムを用いる。
【００１５】
上記構成によって、ＩＣチップおよびアンテナを固着して支持することができる。また、円筒状包装容器に貼り付ける際に支障のない程度に、ＲＦＩＤラベルの強度を増すこともできる。
【００１６】
また、本考案のＲＦＩＤラベルにおけるＲＦＩＤインレットの使用周波数は１３．５６ＭＨｚである。
【００１７】
上記構成によって、円筒状容器の内容物が水などの液体であるときにも、内容物の影響を受けずにリーダとの通信を行うことができる。
【００１８】
また、本考案のＲＦＩＤラベルは、支持フィルムには膜厚２５μｍのＰＥＴ樹脂フィルムを用い、表面基材には膜厚５０μｍの発泡ＰＥＴ樹脂フィルムを用いる。
【００１９】
上記構成によって、ＲＦＩＤラベルとしての強度を保ちつつ、円筒状容器への貼り付けを容易とすることができる。
【００２０】
また、本考案のＲＦＩＤラベルにおける粘着層は、強粘着性のアクリル系粘着剤により構成される。
【００２１】
上記構成によって、粘着力が、湾曲状態にあるＲＦＩＤインレットが平面形状の状態に戻ろうとする力を上回り、ＲＦＩＤラベルを円筒状包装容器に剥がれることなく貼り付けることができる。
【００２２】
また、本考案のＲＦＩＤラベルは、ＩＣチップおよびリング状に配置されたアンテナよりも内側の表面基材の表面に、任意の情報を書き込み可能なラベル書き込み部を有する。
【００２３】
上記構成によって、文字やバーコードの印刷・書き込みの際に、ＩＣチップおよびアンテナに対して熱や衝撃等の影響を及ぼすことを防止でき、熱転写，レーザ，インクジェット，ドットインパクト等の様々な印刷方法に対応できる。
【００２４】
また、本考案の円筒状包装容器は、胴部内に医薬品を収容し、この胴部の外周面に上記のＲＦＩＤラベルが貼付される。
【００２５】
注射剤（すなわち医薬品）が収容されたアンプル等の円筒状包装容器は、内容量が数ｍｌ程度のものもあり、比較的小径のものが多い。上記構成によって、これらの円筒状包装容器にも上述のＲＦＩＤラベルを貼付することが可能となる。
【図面の簡単な説明】
【００２６】
【図１】本考案に係るＲＦＩＤラベルの平面図。
【図２】図１におけるＲＦＩＤラベルの分解斜視図。
【図３】図１におけるＲＦＩＤラベルのＡ−Ａ断面図。
【図４】ＲＦＩＤラベルを円筒状包装容器に貼付した状態を示す正面図。
【図５】ＲＦＩＤラベルを円筒状包装容器に貼付した状態を示す容器底面からの断面図。
【考案を実施するための形態】
【００２７】
以下、本考案の実施形態を、図面を参照しながら説明する。
図１に、本考案に係るＲＦＩＤラベル１の表面から見た上面図を示す。また、図２に、ＲＦＩＤラベル１の構成を示す分解斜視図を示す。また、図３に、図１のＡ−Ａ方向におけるＲＦＩＤラベル１の断面図を示す。
【００２８】
図１のように、ＲＦＩＤラベル１は、円筒状の胴部を備える円筒状包装容器の胴部外周面に貼り付けられるもので、略矩形状をなし、その周方向の辺の長さＷは、円筒状包装容器の胴部外周面の１周長の１／２以下となっており、１０ｍｍから２０ｍｍの間とされる。例えば、Ｗ＝１２ｍｍで、円筒状包装容器の上下方向に相当する他の辺の長さＨは、Ｈ＝２３ｍｍとされる。
【００２９】
図２，図３のように、ＲＦＩＤラベル１は、表面基材２，ＲＦＩＤインレット３，支持フィルム４とにより構成されている。ＲＦＩＤインレット３が、支持フィルム４と表面基材２とに挟まれて保持されている。なお、図３では、ＲＦＩＤインレット３と支持フィルム４との間に隙間があるが、説明のためＩＣチップ３１やアンテナ３２を実際の大きさよりも大きく表記していることによるもので、実際には、隙間は殆ど生じない。
【００３０】
ＲＦＩＤラベル１の表面を覆う表面基材２は、例えば発泡ＰＥＴ（ポリエチレンテレフタレート）フィルムを用い、そのフィルム厚は５０μｍが好適である。また、発泡ＰＥＴは耐熱性が高いので、熱転写，インクジェット等の種々の印刷方法により、表面に印字を行うことが可能となる。また、表面基材２は、裏面に粘着層２２を有し、ＲＦＩＤインレット３の表面を覆うように貼り付けられる。そして、表面基材２の表面のラベル書き込み部２１は、ＩＣチップ３１およびリング状に配置されたアンテナ３２よりも内側に設けられている。なお、粘着層２２は、ＲＦＩＤインレット３を十分固着できる粘着力を有している。
【００３１】
ＲＦＩＤインレット３は、フィルム厚５０μｍのＰＥＴフィルムである支持体３３の裏面に、送受信回路、制御回路、メモリ等をシングルチップ化した半導体であるＩＣチップ３１（厚みは例えば１５０μｍ）と、ＩＣチップ３１に接続された例えば銅製のアンテナ３２（厚みは例えば３５μｍ）が固着されている。ＲＦＩＤインレット３は、水分の影響を受け難い周波数帯である１３．５６ＭＨｚで外部との通信を行う。また、ＲＦＩＤインレット３は、支持体３３の裏面（すなわち支持フィルム４の表面上）の周縁部に配置される。具体的には、ＩＣチップ３１は、円筒状包装容器の周方向の辺（すなわち図１のＷ方向であり湾曲状態となる辺）の中央部に配置される。また、アンテナ３２は、支持フィルム４の表面上（すなわち支持体３３の裏面）の周縁部にリング状に配置される。
【００３２】
支持フィルム４は、例えばＰＥＴフィルムを用い、そのフィルム厚は２５μｍが好適である。支持フィルム４の表面には、ＲＦＩＤインレット３を貼り付けるための粘着層４１を有している。また、支持フィルム４の裏面には、円筒状包装容器に貼り付けるための粘着層４２を有している。粘着層４２は、例えば強粘着性のアクリル系粘着剤により構成される。また、粘着層４１は、ＲＦＩＤインレット３を十分固着できる粘着力を有している。
【００３３】
ＲＦＩＤラベル１は、製造時には例えば厚さ６０μｍの剥離紙５に貼り付けられ、他の工程でラベル書き込み部２１に印刷が行われたり、円筒状包装容器に貼り付けられる。
【００３４】
図４に、ＲＦＩＤラベル１を、医薬品が収容された円筒状包装容器であるアンプル容器１０に貼り付けた例を示す。また、図５に、図４の状態をアンプル容器１０の底部から見たものを示す。図５のように、ＩＣチップ３１は、アンプル容器１０に貼り付けられて湾曲状態となったＲＦＩＤラベル１の、湾曲状態となる辺の中央部に位置している。これにより、ＲＦＩＤラベル１が剥がれ難くなっている。
【産業上の利用可能性】
【００３５】
医薬品以外の物品が収容された円筒状包装容器にも適用可能である。
【符号の説明】
【００３６】
１  ＲＦＩＤラベル
２  表面基材
３  ＲＦＩＤインレット
４  支持フィルム
１０  アンプル容器
２１  ラベル書き込み部
３１  ＩＣチップ
３２  アンテナ
３３  支持体
４１  粘着層
４２  粘着層
【図１】
0003152180.tif 000003
【図２】
0003152180.tif 000004
【図３】
0003152180.tif 000005
【図４】
0003152180.tif 000006
【図５】
0003152180.tif 000007